(57)【要約】【課題】ＷｉＦｉパラメータがモバイルＡＰから自動的に取得され自動的に設定されるためユーザがＷｉＦｉパラメータを入力又は設定する必要はない。ＷｉＦｉパラメータを設定するプロセスが単純化されＷｉＦｉパラメータを設定する時間が節約されＷｉＦｉパラメータの設定の正確さが向上する。【解決手段】コンピュータ端末とＷｉＦｉ機能をサポートするモバイルＡＰとの間にＵＳＢ接続が確立された場合ＵＳＢ接続を使用することによりモバイルＡＰにより送信されたＷｉＦｉパラメータを取得し、コンピュータ端末によりＷｉＦｉパラメータを使用することによってＷｉＦｉインターネットアクセス設定を実施することを含むＷｉＦｉパラメータを設定する方法が本発明の一実施形態で提供される。ＷｉＦｉパラメータを設定するコンピュータ端末、ＷｉＦｉ機能をサポートするモバイルＡＰ、ＷｉＦｉパラメータを設定するシステムが本発明の他の実施形態で提供される。【選択図】図１
2011254469.tif 000002
【特許請求の範囲】
【請求項１】
ワイヤレスフィデリティ（ＷｉＦｉ）機能をサポートするモバイルアクセスポイント（ＡＰ）により、コンピュータ端末とのユニバーサルシリアルバス（ＵＳＢ）接続を確立することと、
前記コンピュータ端末がＷｉＦｉパラメータを使用することによってＷｉＦｉインターネットアクセス設定を実施するように、前記ＵＳＢ接続を介して前記コンピュータ端末にＷｉＦｉパラメータを送信することと、
を含む、ＷｉＦｉパラメータを設定する方法。
【請求項２】
前記コンピュータ端末との前記ＵＳＢ接続が正常に確立されたことを前記モバイルＡＰが検出した場合、前記モバイルＡＰにより前記ＵＳＢ接続を介して前記コンピュータ端末に前記ＷｉＦｉパラメータを送信することを更に含む、
請求項１に記載の方法。
【請求項３】
前記コンピュータ端末により送信された前記ＷｉＦｉパラメータを取得するためのコマンドを受信した後、前記コンピュータ端末に該コンピュータ端末を相手に確立された前記ＵＳＢ接続を介して前記ＷｉＦｉパラメータを送信することを更に含む、
請求項１に記載の方法。
【請求項４】
コンピュータ端末とのユニバーサルシリアルバス（ＵＳＢ）接続を確立するように構成された接続確立モジュールと、
前記コンピュータ端末がワイヤレスフィデリティ（ＷｉＦｉ）パラメータを使用することによってＷｉＦｉインターネットアクセス設定を実施するように、前記ＵＳＢ接続を介して前記コンピュータ端末に前記ＷｉＦｉパラメータを送信するように構成されたパラメータ送信モジュールと、
を備える、ＷｉＦｉ機能をサポートするモバイルアクセスポイント（ＡＰ）。
【請求項５】
前記モバイルＡＰは、前記ＵＳＢ接続が前記コンピュータ端末を相手に正常に確立されたかどうかを検出するように構成された検出モジュールを更に備え、
前記パラメータ送信モジュールは、前記ＵＳＢ接続が前記コンピュータ端末を相手に正常に確立されたことを前記検出モジュールが検出した場合、前記コンピュータ端末を相手に確立された前記ＵＳＢ接続を介して前記コンピュータ端末に前記ＷｉＦｉパラメータを送信するように更に構成される、
請求項４に記載のモバイルＡＰ。
【請求項６】
前記モバイルＡＰは、前記コンピュータ端末により送信された前記ＷｉＦｉパラメータを取得するためのコマンドを受信するように構成された受信モジュールを更に備え、
前記パラメータ送信モジュールは、前記コンピュータ端末により送信された前記ＷｉＦｉパラメータを取得するための前記コマンドを前記受信モジュールが受信した場合、前記コンピュータ端末を相手に確立された前記ＵＳＢ接続を介して前記コンピュータ端末に前記ＷｉＦｉパラメータを送信するように更に構成される、
請求項４に記載のモバイルＡＰ。
【請求項７】
コンピュータ端末とワイヤレスフィデリティ（ＷｉＦｉ）機能をサポートするモバイルアクセスポイント（ＡＰ）との間にユニバーサルシリアルバス（ＵＳＢ）接続が確立された場合、前記ＵＳＢ接続を介して前記モバイルＡＰにより送信されたＷｉＦｉパラメータを取得することと、
前記コンピュータ端末により、前記ＷｉＦｉパラメータを使用することによってＷｉＦｉインターネットアクセス設定を実施することと、
を含む、ＷｉＦｉパラメータを設定する方法。
【請求項８】
前記モバイルＡＰが検出された場合、前記モバイルＡＰを相手に確立された前記ＵＳＢ接続を介して前記モバイルＡＰに前記ＷｉＦｉパラメータを取得するためのコマンドを送信することを更に含む、
請求項７に記載の方法。
【請求項９】
前記コンピュータ端末により、前記ＷｉＦｉパラメータを使用することによってＷｉＦｉインターネットアクセス設定を実施することは、
前記コンピュータ端末のオペレーティングシステムのインタフェース機能を起動し、前記インタフェース機能を使用することによって前記ＷｉＦｉパラメータを対応するＷｉＦｉ設定項目内に記入することを含む、
請求項７又は８に記載の方法。
【請求項１０】
コンピュータ端末とワイヤレスフィデリティ（ＷｉＦｉ）機能をサポートするモバイルアクセスポイント（ＡＰ）との間にユニバーサルシリアルバス（ＵＳＢ）接続が確立された場合、前記ＵＳＢ接続を介して前記モバイルＡＰにより送信されたＷｉＦｉパラメータを取得するように構成されたパラメータ取得モジュールと、
前記パラメータ取得モジュールにより取得された前記ＷｉＦｉパラメータを使用することによって、ＷｉＦｉインターネットアクセス設定を実施するように構成されたパラメータ設定モジュールと、
を備える、ＷｉＦｉパラメータを設定するコンピュータ端末。
【請求項１１】
前記コンピュータ端末は、前記モバイルＡＰが検出された場合、前記モバイルＡＰを相手に確立された前記ＵＳＢ接続を介して前記モバイルＡＰに前記ＷｉＦｉパラメータを取得するためのコマンドを送信するように構成されたコマンド送信モジュールを更に備える、請求項１０に記載のコンピュータ端末。
【請求項１２】
前記パラメータ設定モジュールは、前記コンピュータ端末のオペレーティングシステムのインタフェース機能を起動し、前記インタフェース機能を使用することによって前記ＷｉＦｉパラメータを対応するＷｉＦｉ設定項目内に記入するように更に構成される、
請求項１０又は１１に記載のコンピュータ端末。
【請求項１３】
請求項４〜６のいずれか一項に記載のモバイルアクセスポイント（ＡＰ）と、
少なくとも１つの請求項１０〜１２のいずれか一項に記載のコンピュータ端末と、
を備える、ワイヤレスフィデリティ（ＷｉＦｉ）パラメータを設定するシステム。
【発明の詳細な説明】
【技術分野】
【０００１】
本発明は、電気通信技術分野に関し、特に、ＷｉＦｉパラメータを設定する方法、装置、及びシステムに関する。
【背景技術】
【０００２】
コンピュータ端末が、ワイヤレスフィデリティ（ＷｉＦｉ）（登録商標）ネットワークをサポートするモバイルアクセスポイント（ＡＰ）に、ＷｉＦｉインターネットアクセスのための無線ネットワークアダプタを使用することによってアクセスすることを可能にするために、ユーザは、モバイルＡＰのサービスセット識別子（ＳＳＩＤ）、パスワード、及び暗号化モードなどのＷｉＦｉパラメータを知らなければならず、そして、関連するＷｉＦｉパラメータをコンピュータ端末上に設定しなければならない。
【発明の概要】
【発明が解決しようとする課題】
【０００３】
本発明の実施の間、発明者は、従来技術においては、ユーザが手作業でＷｉＦｉパラメータを設定する必要があり、ＷｉＦｉパラメータを理解していない特定のユーザにとって、設定は困難であり、時間がかかるということを見出した。加えて、ＷｉＦｉパラメータの手作業の設定においては、容易に誤りが発生して、モバイルＡＰへのアクセスに障害がもたらされる。
【課題を解決するための手段】
【０００４】
ＷｉＦｉパラメータを手作業で入力及び設定することからユーザを解放するためのＷｉＦｉパラメータを設定する方法、コンピュータ端末、及びシステム、ＷｉＦｉ機能をサポートするモバイルＡＰが、本発明の実施形態において提供される。
【０００５】
本発明は、以下の技術的解決法を介して実施される。
【０００６】
コンピュータ端末とＷｉＦｉ機能をサポートするモバイルＡＰとの間にユニバーサルシリアルバス（ＵＳＢ）接続が確立された場合、ＵＳＢ接続を使用することによってモバイルＡＰによって送信されたＷｉＦｉパラメータを取得することと、
コンピュータ端末により、ＷｉＦｉパラメータを使用することによってＷｉＦｉインターネットアクセス設定を実施することと、
を含む、ＷｉＦｉパラメータを設定する方法。
【０００７】
コンピュータ端末とＷｉＦｉ機能をサポートするモバイルＡＰとの間にＵＳＢ接続が確立された場合、ＵＳＢ接続を使用することによってモバイルＡＰにより送信されたＷｉＦｉパラメータを取得するように構成されたパラメータ取得モジュールと、
パラメータ取得モジュールにより取得されたＷｉＦｉパラメータを使用することによって、ＷｉＦｉインターネットアクセス設定を実施するように構成されたパラメータ設定モジュールと、
を含む、ＷｉＦｉパラメータを設定するコンピュータ端末。
【０００８】
ＷｉＦｉ機能をサポートするモバイルＡＰによりコンピュータ端末とのＵＳＢ接続を確立することと、
コンピュータ端末がＷｉＦｉパラメータを使用することによってＷｉＦｉインターネットアクセス設定を実施するように、ＵＳＢ接続を介してコンピュータ端末にＷｉＦｉパラメータを送信することと、
を含む、ＷｉＦｉパラメータを設定する方法。
【０００９】
コンピュータ端末とのＵＳＢ接続を確立するように構成された接続確立モジュールと、
コンピュータ端末がＷｉＦｉパラメータを使用することによってＷｉＦｉインターネットアクセス設定を実施するように、ＵＳＢ接続を介してコンピュータ端末にＷｉＦｉパラメータを送信するように構成されたパラメータ送信モジュールと、
を含む、ＷｉＦｉ機能をサポートするモバイルＡＰ。
【００１０】
ＷｉＦｉパラメータを設定するシステムが、本発明の一実施形態において提供される。システムは、上述のモバイルＡＰと少なくとも１つの上述のコンピュータ端末とを含む。
【発明の効果】
【００１１】
本発明において提供される技術的解決法から、ＷｉＦｉパラメータがモバイルＡＰから自動的に取得され、自動的に設定されるため、ユーザがＷｉＦｉパラメータを手作業で入力又は設定する必要はないということがわかる。これにより、ＷｉＦｉパラメータを設定するプロセスが単純化され、ＷｉＦｉパラメータを設定する時間が節約され、ＷｉＦｉパラメータの設定の正確さが向上する。
【００１２】
本発明の技術的解決法をより明確にするために本発明の実施形態又は従来技術を示す添付の図面について以下に簡単に説明する。明らかに、添付の図面は例示のみを目的とするものであり、当業者はいかなる創造的な活動も行うことなくそのような添付の図面からその他の図面を導き出すことが可能である。
【図面の簡単な説明】
【００１３】
【図１】本発明の実施形態による処理プロセスを示す。
【図２】本発明の実施形態によるシステムの構成を示す。
【図３】本発明の実施形態による別の処理プロセスを示す。
【図４】本発明の実施形態によるコンピュータ端末の構成を示す。
【図５】本発明の実施形態によるＷｉＦｉ機能をサポートするモバイルＡＰの構成を示す。
【発明を実施するための形態】
【００１４】
本発明の技術的解決法について添付の図面を参照して以下に詳細に説明する。明らかに、以下で述べる実施形態は例示のみを目的とするものであり、本発明の全ての実施形態を網羅するものではない。当業者はいかなる創造的な活動も行うことなく本明細書に示す実施形態からその他の実施形態を導き出すことが可能であり、全てのそのような実施形態は本発明の保護範囲内に入る。
【００１５】
コンピュータ端末を使用してＷｉＦｉパラメータを自動的に設定する方法が本発明の一実施形態において提供される。処理プロセスを図１に示す。実施方法は以下のプロセスを含む。
【００１６】
ブロックＳ１０１：ＷｉＦｉ機能をサポートするモバイルＡＰが、モバイルＡＰとコンピュータ端末との間に確立されたＵＳＢ接続を介して、コンピュータ端末にＷｉＦｉパラメータを送信し、ここで、ＷｉＦｉパラメータは、以下に限定されないが、ＡＰのＳＳＩＤ、ＷｉＦｉインターネットアクセス認証パスワード、及びＷｉＦｉインターネットアクセス無線チャネルを含んでもよい。
【００１７】
ブロックＳ１０２：コンピュータ端末は、モバイルＡＰを相手に確立されたＵＳＢ接続を介して、モバイルＡＰにより送信されたＷｉＦｉパラメータを取得する。
【００１８】
ブロックＳ１０３：コンピュータ端末がＷｉＦｉを使用することによってＡＰにアクセスしてインターネットにアクセスすることが可能なように、コンピュータ端末は、取得されたＷｉＦｉパラメータを使用して、ＷｉＦｉインターネットアクセス設定を実施する。
【００１９】
本発明のこの実施形態で提供されるＷｉＦｉパラメータを自動的に設定する方法において、ＷｉＦｉパラメータは、モバイルＡＰから自動的に取得され、自動的に設定される。この場合、ユーザがＷｉＦｉパラメータを手作業で入力又は設定する必要はない。これにより、ＷｉＦｉパラメータを設定するプロセスが単純化され、ＷｉＦｉパラメータを設定する時間が節約され、ＷｉＦｉパラメータの設定の正確さが向上する。
【００２０】
本発明のこの実施形態で提供される上記の方法において、モバイルＡＰが、認識をサポートするプロセッサユニットを含む場合、モバイルＡＰはコンピュータ端末にＷｉＦｉパラメータを自発的に送信することが可能である。この場合、ブロックＳ１０１における実施モードは以下の通りである。モバイルＡＰは、ＵＳＢ接続がコンピュータ端末を相手に正常に確立されたことを検出した場合、ＵＳＢ接続を介してコンピュータ端末にＷｉＦｉパラメータを送信する。モバイルＡＰは、更に、コンピュータ端末により送信されたＷｉＦｉパラメータを取得するためのコマンドを受信した後、コンピュータ端末にＷｉＦｉパラメータを送信してもよい。この場合、ブロックＳ１０２において、コンピュータ端末がモバイルＡＰからＷｉＦｉパラメータを取得する前に、以下の動作が実施される。モバイルＡＰを検出した場合、コンピュータ端末は、モバイルＡＰを相手に確立されたＵＳＢ接続を介して、モバイルＡＰに、ＷｉＦｉパラメータを取得するためのコマンドを送信する。これは、以下のように理解されてもよい。コンピュータ端末とモバイルＡＰとの間にＵＳＢ接続が確立されたことをコンピュータ端末により検出することは、ＵＳＢ接続を介してコンピュータ端末にモバイル装置が接続されたことをコンピュータ端末が検出することを意味する。モバイル装置は、コンピュータ端末上で見出されてもよい。次に、コンピュータ端末は、ＵＳＢ接続を使用することによって、モバイル装置に、ＷｉＦｉパラメータを取得するためのコマンドを送信する。この実施形態では、モバイル装置はモバイルＡＰである。
【００２１】
コンピュータ端末がＷｉＦｉパラメータを取得した後、ブロックＳ１０３におけるＷｉＦｉインターネットアクセス設定の動作は、具体的には、コンピュータ端末のオペレーティングシステムのインタフェース機能を起動し、インタフェース機能を使用することによってＷｉＦｉパラメータを対応するＷｉＦｉ設定項目内に記入することを含む。
【００２２】
この実施形態の実際の適用における特定の実施モードについて以下に詳細に説明する。
【００２３】
図２に示すようなネットワークシステムにおいて、コンピュータ端末Ａ、コンピュータ端末Ｂ、及びコンピュータ端末Ｃには、ＷｉＦｉ機能をサポートするモバイルネットワークアダプタがインストールされている。モバイルＡＰは、同時に、コンピュータ端末Ａ、Ｂ、及びＣのＷｉＦｉアクセスをサポートする。モバイルＡＰと、コンピュータ端末Ａ、Ｂ、及びＣとは、ＵＳＢインタフェースを提供し、ＵＳＢインタフェースを使用することによって相互に接続されることが可能である。コンピュータ端末Ａ、Ｂ、及びＣが、ＷｉＦｉを使用することによってモバイルＡＰにアクセスすることを可能にするためには、３つのコンピュータ端末上でＷｉＦｉパラメータが設定されていなければならない。以下では、コンピュータ端末Ａを例に取って、ＷｉＦｉパラメータの自動設定を実施するプロセスについて説明する。図３に示すように、このプロセスは以下を含む。
【００２４】
ブロックＳ３０１：モバイルＡＰは、ＵＳＢインタフェースを使用することによってコンピュータ端末Ａに接続され、そして、ＵＳＢ装置とみなされる。
【００２５】
ブロックＳ３０２：コンピュータ端末Ａは、ＵＳＢ装置を検出し、ＵＳＢ接続セットアッププロセスを開始し、モバイルＡＰに通知する。
【００２６】
ブロックＳ３０３：通知を受信した後、モバイルＡＰは、コンピュータ端末Ａに仮想ディスクの形態でＵＳＢドライブプログラムをマッピングする。
【００２７】
ブロックＳ３０４：コンピュータ端末Ａは、ＵＳＢドライブプログラムを実行して、モバイルＡＰとのＵＳＢ接続を確立する。
【００２８】
ブロックＳ３０５：モバイルＡＰを検出した後、コンピュータ端末Ａ上のＷｉＦｉパラメータ設定プログラムは、ＵＳＢ接続を介して、モバイルＡＰに、ＷｉＦｉパラメータを取得するためのコマンド（例えば、このコマンドは、ＡＴコマンド、ＤＩＡＧコマンド、又は自己定義されたコマンドであってもよい）を送信し、ここで、ＷｉＦｉパラメータ設定プログラムは、ＷｉＦｉパラメータを取得及び設定するように構成され、そして、ＷｉＦｉパラメータ設定プログラムのコード実施モードは、当業者によって既存のプログラミング手段を使用することによって取得されることが可能であり、従って、ここでは詳細に説明しない。
【００２９】
ブロックＳ３０６：ＷｉＦｉパラメータを取得するためのコマンドを受信した後、モバイルＡＰはコンピュータ端末ＡにＷｉＦｉパラメータを送信する。
【００３０】
ブロックＳ３０７：コンピュータ端末Ａ上のＷｉＦｉパラメータ設定プログラムは、コンピュータ端末Ａのオペレーティングシステムのインタフェース機能を起動し、取得されたＷｉＦｉパラメータを対応するＷｉＦｉ設定項目内に記入して、ＷｉＦｉ設定を完了する。
【００３１】
本発明の前述の実施形態において、コンピュータ端末Ａは、モバイルＡＰとのＵＳＢ接続を確立し、そして、ＵＳＢドライブプログラムが自動的にインストールされた後、ＷｉＦｉパラメータを自動的に設定する。これにより、ＷｉＦｉパラメータを設定するプロセスが単純化され、ＷｉＦｉパラメータを設定する時間が節約され、ＷｉＦｉパラメータの設定の正確さが向上する。
【００３２】
前述の処理プロセスにおいて、モバイルＡＰは、ＷｉＦｉパラメータを取得するための受信されたコマンドに従って、コンピュータ端末ＡにＷｉＦｉパラメータを送信する。モバイルＡＰが、認識をサポートするプロセッサユニットを含む場合、ブロックＳ３０５及びＳ３０６の代替のプロセスは以下の通りである。モバイルＡＰはコンピュータ端末Ａを相手に確立されたＵＳＢ接続を検出し、コンピュータ端末ＡにＷｉＦｉパラメータを送信する。
【００３３】
コンピュータ端末Ｂ及びＣのためのパラメータ設定モードは、コンピュータ端末Ａのためのパラメータ設定モードと同様であり、従って、ここでは詳細に説明しない。
【００３４】
本発明の前述の実施形態における全ての又は特定のプロセスは関連するハードウェアに指示するプログラムによって実行されてもよい。プログラムは、コンピュータ読み取り可能な記憶媒体内に記憶されてもよい。実行された場合、プログラムは、本発明の前述の実施形態におけるプロセスを実行する。記憶媒体は、プログラムコードを記憶することが可能な、読み取り専用メモリ（ＲＯＭ）、ランダムアクセスメモリ（ＲＡＭ）、ディスク、及びコンパクトディスクを含む。
【００３５】
本発明の一実施形態では、コンピュータ端末が提供される。コンピュータ端末は、ＷｉＦｉパラメータを自動的に設定してもよい。図４は、コンピュータ端末の構成を示し、これは、
コンピュータ端末とモバイルＡＰとの間にＵＳＢ接続が確立された場合、ＷｉＦｉ機能をサポートするモバイルＡＰにより、ＵＳＢ接続を使用することによって送信されたＷｉＦｉパラメータを取得するように構成されたパラメータ取得モジュール４０１と（ここで、ＷｉＦｉパラメータは、以下に限定されないが、ＡＰのＳＳＩＤ、ＷｉＦｉインターネットアクセス認証パスワード、及びＷｉＦｉインターネットアクセス無線チャネルを含んでもよい。）、
コンピュータ端末がモバイルＡＰにアクセスしてＷｉＦｉインターネットアクセスを実施することが可能なように、パラメータ取得モジュール４０１により取得されたＷｉＦｉパラメータを使用するように構成されたパラメータ設定モジュール４０２と、
を含む。
【００３６】
パラメータ設定モジュール４０２は、具体的には、コンピュータ端末のオペレーティングシステムのインタフェース機能を起動し、インタフェース機能を使用することによって、ＷｉＦｉパラメータを対応するＷｉＦｉ設定項目内に記入するように構成される。
【００３７】
本発明のこの実施形態で提供されるコンピュータ端末は、モバイルＡＰからＷｉＦｉパラメータを自動的に取得し、ＷｉＦｉパラメータを自動的に設定する。従って、ユーザがＷｉＦｉパラメータを手作業で入力又は設定する必要はない。これにより、ＷｉＦｉパラメータを設定するプロセスが単純化され、ＷｉＦｉパラメータを設定する時間が節約され、ＷｉＦｉパラメータの設定の正確さが向上する。
【００３８】
本発明の前述の実施形態で提供されるコンピュータ端末は、モバイルＡＰを検出した場合、モバイルＡＰを相手に確立されたＵＳＢ接続を介してモバイルＡＰにＷｉＦｉパラメータを取得するためのコマンドを送信するように構成されたコマンド送信モジュール４０３を更に含んでもよい。これは、以下のように理解されてもよい。コンピュータ端末とモバイルＡＰとの間にＵＳＢ接続が確立されたことをコマンド送信モジュール４０３によって検出することは、ＵＳＢ接続を介してコンピュータ端末にモバイル装置が接続されたことをコマンド送信モジュール４０３が検出することを意味する。モバイル装置は、コンピュータ端末上で見出されてもよい。次に、コンピュータ端末は、ＵＳＢ接続を介して、モバイル装置にＷｉＦｉパラメータを取得するためのコマンドを送信する。この実施形態では、モバイル装置はモバイルＡＰである。
【００３９】
本発明の別の実施形態では、ＷｉＦｉ機能をサポートするモバイルＡＰが提供される。図５は、モバイルＡＰの構成を示し、これは、
コンピュータ端末とのＵＳＢ接続を確立するように構成された接続確立モジュール５０１と、
コンピュータ端末とのＵＳＢ接続を介して、コンピュータ端末にＷｉＦｉパラメータを送信するように構成されたパラメータ送信モジュール５０２と、を含み、ここで、ＷｉＦｉパラメータは、以下に限定されないが、ＡＰのＳＳＩＤ及びＷｉＦｉインターネットアクセスパスワードを含んでもよい。
【００４０】
パラメータ送信モジュール５０２は、コンピュータ端末にＷｉＦｉパラメータを自発的に送信してもよい。この場合、モバイルＡＰは、ＵＳＢ接続がコンピュータ端末を相手に正常に確立されたかどうかを検出するように構成された検出モジュール５０３を更に含む。これは、以下のように理解されてもよい。検出モジュール５０３は、接続確立モジュール５０１がＡＰとコンピュータ端末との間のＵＳＢ接続を正常に確立したかどうかを検出する。パラメータ送信モジュール５０２は、ＵＳＢ接続がコンピュータ端末を相手に正常に確立されたことを検出モジュール５０３が検出した場合、コンピュータ端末を相手に確立されたＵＳＢ接続を介してコンピュータ端末にＷｉＦｉパラメータを送信するように更に構成される。これは、以下のように理解されてもよい。パラメータ送信モジュール５０２は、コンピュータ端末とのＵＳＢ接続を接続確立モジュール５０１が正常に確立したことを検出モジュール５０３が検出した後、ＵＳＢ接続を介してコンピュータ端末にＷｉＦｉパラメータを送信するように更に構成される。モバイルＡＰは、コンピュータ端末により送信されたＷｉＦｉパラメータを取得するためのコマンドを受信するように構成された受信モジュール５０４を更に含んでもよい。パラメータ送信モジュール５０２は、受信モジュール５０４により受信されたＷｉＦｉパラメータを取得するためのコマンドに従って、コンピュータ端末を相手に確立されたＵＳＢ接続を介してコンピュータ端末にＷｉＦｉパラメータを送信してもよい。
【００４１】
本発明の一実施形態では、ＷｉＦｉパラメータを設定するシステムが提供される。図２は、システムの構成を示し、これは、上述のモバイルＡＰと上述のコンピュータ端末（例えば、図２におけるコンピュータ端末Ａ、Ｂ、及びＣ）のうちの少なくとも１つとを含む。
【００４２】
結論として、上記は本発明の好ましい実施形態にすぎない。しかし、本発明の範囲はそれらに限定されない。本発明の技術的範囲内で当業者によって容易に導き出されることが可能な変更又は置換は本発明の範囲内に入る。従って、本発明の保護範囲は添付の特許請求の範囲によって決まる。
【図１】
2011254469.tif 000003
【図２】
2011254469.tif 000004
【図３】
2011254469.tif 000005
【図４】
2011254469.tif 000006
【図５】
2011254469.tif 000007
【外国語明細書】
2011254469000001.pdf